(57)【要約】【課題】従来の波長分割多重装置よりもシンプルな構成によって、波長多重光信号を再生中継する機能と、波長多重光信号からクライアント光信号を分離する機能と、クライアント光信号を多重する機能とを同時に実現することができる波長分割多重装置、及び当該波長分割多重装置を備える光通信システムを提供することを目的とする。【解決手段】波長分割多重装置１１０であって、入力光信号を受信して第１の波長多重光信号と第２の波長多重光信号とに分離して出力する光波長分離部１１１ｂと、第１の波長多重光信号を入力してクライアント送信光信号と第３の波長多重光信号とに分離して出力する光信号分離部１１２ａと、第２の波長多重光信号とクライアント受信光信号とを多重して第４の波長多重光信号を出力する光信号多重部１１２ｂと、第３の波長多重光信号と第４の波長多重光信号とを多重した出力光信号を送信する光波長多重部１１３ａとを備える。【選択図】図１
2010232870.tif 000002
【特許請求の範囲】
【請求項１】
波長分割多重方式を用いて光信号を中継する波長分割多重装置であって、
上流の波長分割多重装置から入力光信号を受信して、第１の波長多重光信号と当該第１の波長多重光信号とは波長が異なる第２の波長多重光信号とに分離して出力する光波長分離部と、
前記光波長分離部から出力された前記第１の波長多重光信号を入力して、クライアント装置宛のクライアント送信光信号と、それ以外の第３の波長多重光信号とに分離して出力する光信号分離部と、
前記光波長分離部から出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重部と、
前記光信号分離部から出力された前記第３の波長多重光信号を入力し、前記光信号多重部から出力された前記第４の波長多重光信号を入力して、前記第３の波長多重光信号と前記第４の波長多重光信号とを多重した出力光信号を、下流の波長分割多重装置宛に送信する光波長多重部と
を備える波長分割多重装置。
【請求項２】
前記光波長分離部は、前記第２の波長多重光信号を周波数の異なる複数の波長多重光信号として出力する請求項１に記載の波長分割多重装置。
【請求項３】
前記光信号分離部は、前記第３の波長多重光信号を周波数の異なる複数の波長多重光信号として出力する請求項１に記載の波長分割多重装置。
【請求項４】
前記光信号分離部は、複数の送信ポートを有し、前記クライアント送信光信号を複数のクライアント送信光信号として送信する請求項１に記載の波長分割多重装置。
【請求項５】
前記光信号多重部は、複数の受信ポートを有し、前記クライアント受信光信号を複数のクライアント受信光信号として受信する請求項１に記載の波長分割多重装置。
【請求項６】
前記光信号分離部は、クライアント装置がそれぞれ接続された複数の送信ポートを有し、前記クライアント送信光信号を前記複数のクライアント装置宛の複数のクライアント送信光信号として送信する請求項１に記載の波長分割多重装置。
【請求項７】
前記光信号多重部は、クライアント装置がそれぞれ接続された複数の受信ポートを有し、前記クライアント受信光信号を前記複数のクライアント装置からの複数のクライアント受信光信号として受信する請求項１に記載の波長分割多重装置。
【請求項８】
前記光信号分離部は、前記第１の波長多重光信号を時分割分離する請求項１に記載の波長分割多重装置。
【請求項９】
前記光信号多重部は、前記第２の波長多重光信号と前記クライアント受信光信号とを時分割多重する請求項１に記載の波長分割多重装置。
【請求項１０】
波長分割多重方式を用いて光信号を中継する波長分割多重装置における波長分割多重方法であって、
上流の波長分割多重装置から入力光信号を受信して、第１の波長多重光信号と当該第１の波長多重光信号とは波長が異なる第２の波長多重光信号とに分離して出力する光波長分離ステップと、
前記光波長分離ステップで出力された前記第１の波長多重光信号を入力して、クライアント装置宛のクライアント送信光信号と、それ以外の第３の波長多重光信号とに分離して出力する光信号分離ステップと、
前記光波長分離ステップで出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重ステップと、
前記光信号分離ステップで出力された前記第３の波長多重光信号を入力し、前記光信号多重ステップで出力された前記第４の波長多重光信号を入力して、前記第３の波長多重光信号と前記第４の波長多重光信号とを多重した出力光信号を、下流の波長分割多重装置宛に送信する光波長多重ステップと
を備える波長分割多重方法。
【請求項１１】
波長分割多重方式を用いて光信号を中継する波長分割多重装置用のプログラムであって、
上流の波長分割多重装置から入力光信号を受信して、第１の波長多重光信号と当該第１の波長多重光信号とは波長が異なる第２の波長多重光信号とに分離して出力する光波長分離手段と、
前記光波長分離部から出力された前記第１の波長多重光信号を入力して、クライアント装置宛のクライアント送信光信号と、それ以外の第３の波長多重光信号とに分離して出力する光信号分離手段と、
前記光波長分離手段で出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重手段と、
前記光信号分離手段で出力された前記第３の波長多重光信号を入力し、前記光信号多重手段で出力された前記第４の波長多重光信号を入力して、前記第３の波長多重光信号と前記第４の波長多重光信号とを多重した出力光信号を、下流の波長分割多重装置宛に送信する光波長多重手段と
して前記波長分割多重装置に機能させるプログラム。
【請求項１２】
波長分割多重方式を用いて互いに通信する複数の波長分割多重装置を備える光通信システムであって、
前記波長分割多重装置は、
上流の波長分割多重装置から入力光信号を受信して、第１の波長多重光信号と当該第１の波長多重光信号とは波長が異なる第２の波長多重光信号とに分離して出力する光波長分離部と、
前記光波長分離部から出力された前記第１の波長多重光信号を入力して、クライアント装置宛のクライアント送信光信号と、それ以外の第３の波長多重光信号とに分離して出力する光信号分離部と、
前記光波長分離部から出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重部と、
前記光信号分離部から出力された前記第３の波長多重光信号を入力し、前記光信号多重部から出力された前記第４の波長多重光信号を入力して、前記第３の波長多重光信号と前記第４の波長多重光信号とを多重した出力光信号を、下流の波長分割多重装置宛に送信する光波長多重部と
を有する光通信システム。
【発明の詳細な説明】
【技術分野】
【０００１】
本発明は、波長分割多重方式を用いて光信号を中継する波長分割多重装置、波長分割多重方法、プログラム、及び当該波長分割多重装置を備える光通信システムに関する。
【背景技術】
【０００２】
近年の光通信システムは、大容量化や長距離化を目指して開発されている。大容量化を実現するために、波長の異なる複数の光信号を一本の光ファイバケーブルを用いて伝送する波長分割多重方式を用いて光通信を中継する波長分割多重装置が開発されている。また、波長多重光信号を再生中継する機能と、波長多重光信号からクライアント光信号を分離する機能と、クライアント光信号を多重する機能とを同時に実現するために、波長多重光信号を再生中継するための光信号経路と、波長多重光信号をクライアント光信号に変換し、クライアント光信号を波長多重光信号に変換するための光信号経路とを備える波長分割多重装置が開発されている。
【０００３】
このような、従来の波長分割多重装置の構成について説明する。図４は、従来の波長分割多重装置１０の構成の一例を示すブロック図である。波長分割多重装置１０は、受信部１１、制御部１２、及び送信部１３を備える。受信部１１は、上流の波長分割多重装置から光信号を受信すると、光増幅部１１ａで光信号を増幅し、光波長分離部１１ｂで波長の異なる複数の光信号に分離する。
【０００４】
そして、制御部１２の光信号入力部１２ａ及び光信号出力部１２ｂは、光波長分離部１１ｂから出力されたクライアント装置３１宛の光信号を含まない光信号を再生中継して、送信部１３の光波長多重部１３ａへ出力する。一方、制御部１１のクライアント光信号分離部１２ｃは、光波長分離部１１ｂから出力されたクライアント装置３１宛の光信号を含む波長の光信号を受信後、クライアント装置３１宛の光信号を分離し出力する。
【０００５】
そして、制御部１１のクライアント光信号多重部１２ｄは、クライアント光信号分離部１２ｃから出力された光信号と、クライアント装置３１から出力された光信号を受信後、多重して光波長多重部１３ａへ出力する。送信部１３は、光波長多重部１３ａで波長の異なる複数の光信号を多重し、光増幅部１３ｂで増幅して下流の波長分割多重装置へ送信する。
【０００６】
次に、従来の波長分割多重装置の別の構成について説明する。図５は、従来の波長分割多重装置２０の構成の一例を示すブロック図である。波長分割多重装置２０は、受信部２１、制御部２２、及び送信部２３を備える。受信部２１は、上流の波長分割多重装置から光信号を受信すると、光増幅部２１ａで光信号を増幅し、光波長分離部２１ｂで波長の異なる複数の光信号に分離する。
【０００７】
そして、制御部２２の光信再生中継部２２ａは、光波長分離部２１ｂから出力されたクライアント装置３２宛の光信号を含まない光信号を再生中継して、送信部２３の光波長多重部２３ａへ出力する。一方、制御部２１のクライアント光信号分離部２２ｂは、光波長分離部２１ｂから出力されたクライアント装置３２宛の光信号を含む波長の光信号を受信後、クライアント装置３２宛の光信号を分離し出力する。
【０００８】
そして、制御部２１のクライアント光信号多重部２２ｃは、クライアント光信号分離部２２ｂから出力された光信号と、クライアント装置３２から出力された光信号を受信後、多重して光波長多重部２３ａへ出力する。送信部２３は、光波長多重部２３ａで波長の異なる複数の光信号を多重し、光増幅部２３ｂで増幅して下流の波長分割多重装置へ送信する。
【先行技術文献】
【特許文献】
【０００９】
【特許文献１】特開昭６３−２０６０３２号公報
【特許文献２】特開２０００−２２４１４５号公報
【特許文献３】特開２００５−０７９８２６号公報
【特許文献４】特開２００８−２２７６４７号公報
【発明の概要】
【発明が解決しようとする課題】
【００１０】
しかし、上記のように従来の波長分割多重装置は、波長多重光信号を再生中継するための光信号経路と、クライアント装置との光信号の送受信を行うための光信号経路が、個別に配置されていたため、装置構成を簡略化することができないという問題がある。
【００１１】
本発明は、このような事情に鑑みてなされたものであって、従来の波長分割多重装置よりもシンプルな構成によって、波長多重光信号を再生中継する機能と、波長多重光信号からクライアント光信号を分離する機能と、クライアント光信号を多重する機能とを同時に実現することができる波長分割多重装置、波長分割多重方法、プログラム、及び当該波長分割多重装置を備える光通信システムを提供することを目的とする。
【課題を解決するための手段】
【００１２】
上記課題を解決するための本発明に係る波長分割多重装置は、波長分割多重方式を用いて光信号を中継する波長分割多重装置であって、上流の波長分割多重装置から入力光信号を受信して、第１の波長多重光信号と当該第１の波長多重光信号とは波長が異なる第２の波長多重光信号とに分離して出力する光波長分離部と、前記光波長分離部から出力された前記第１の波長多重光信号を入力して、クライアント装置宛のクライアント送信光信号と、それ以外の第３の波長多重光信号とに分離して出力する光信号分離部と、前記光波長分離部から出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重部と、前記光信号分離部から出力された前記第３の波長多重光信号を入力し、前記光信号多重部から出力された前記第４の波長多重光信号を入力して、前記第３の波長多重光信号と前記第４の波長多重光信号とを多重した出力光信号を、下流の波長分割多重装置宛に送信する光波長多重部とを備える。
【００１３】
上記課題を解決するための本発明に係る波長分割多重方法は、波長分割多重方式を用いて光信号を中継する波長分割多重装置における波長分割多重方法であって、上流の波長分割多重装置から入力光信号を受信して、第１の波長多重光信号と当該第１の波長多重光信号とは波長が異なる第２の波長多重光信号とに分離して出力する光波長分離ステップと、前記光波長分離ステップで出力された前記第１の波長多重光信号を入力して、クライアント装置宛のクライアント送信光信号と、それ以外の第３の波長多重光信号とに分離して出力する光信号分離ステップと、前記光波長分離ステップで出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重ステップと、前記光信号分離ステップで出力された前記第３の波長多重光信号を入力し、前記光信号多重ステップで出力された前記第４の波長多重光信号を入力して、前記第３の波長多重光信号と前記第４の波長多重光信号とを多重した出力光信号を、下流の波長分割多重装置宛に送信する光波長多重ステップとを備える。
【００１４】
上記課題を解決するための本発明に係るプログラムは、波長分割多重方式を用いて光信号を中継する波長分割多重装置用のプログラムであって、上流の波長分割多重装置から入力光信号を受信して、第１の波長多重光信号と当該第１の波長多重光信号とは波長が異なる第２の波長多重光信号とに分離して出力する光波長分離手段と、前記光波長分離部から出力された前記第１の波長多重光信号を入力して、クライアント装置宛のクライアント送信光信号と、それ以外の第３の波長多重光信号とに分離して出力する光信号分離手段と、前記光波長分離手段で出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重手段と、前記光信号分離手段で出力された前記第３の波長多重光信号を入力し、前記光信号多重手段で出力された前記第４の波長多重光信号を入力して、前記第３の波長多重光信号と前記第４の波長多重光信号とを多重した出力光信号を、下流の波長分割多重装置宛に送信する光波長多重手段として前記波長分割多重装置に機能させる。
【００１５】
上記課題を解決するための本発明に係る光通信システムは、波長分割多重方式を用いて互いに通信する複数の波長分割多重装置を備える光通信システムであって、前記波長分割多重装置は、上流の波長分割多重装置から入力光信号を受信して、第１の波長多重光信号と当該第１の波長多重光信号とは波長が異なる第２の波長多重光信号とに分離して出力する光波長分離部と、前記光波長分離部から出力された前記第１の波長多重光信号を入力して、クライアント装置宛のクライアント送信光信号と、それ以外の第３の波長多重光信号とに分離して出力する光信号分離部と、前記光波長分離部から出力された前記第２の波長多重光信号を入力し、前記クライアント装置からクライアント受信光信号を受信して、前記第２の波長多重光信号と前記クライアント受信光信号とを多重して、前記第３の波長多重光信号とは波長が異なる第４の波長多重光信号を出力する光信号多重部と、前記光信号分離部から出力された前記第３の波長多重光信号を入力し、前記光信号多重部から出力された前記第４の波長多重光信号を入力して、前記第３の波長多重光信号と前記第４の波長多重光信号とを多重した出力光信号を、下流の波長分割多重装置宛に送信する光波長多重部とを有する光通信システム。
【発明の効果】
【００１６】
本発明によれば、光通信システムの大容量化が進み、波長多重光信号を再生中継する機能と、波長多重光信号からクライアント光信号を分離する機能と、クライアント光信号を多重する機能とを同時に実現する場合であっても、３つの機能を同時に実現するために各機能が別経路の構成をとる必要がなく、簡単に構成することができる。
【図面の簡単な説明】
【００１７】
【図１】光通信システム１００の構成の一例を示す図である。
【図２】波長分割多重装置１２０の構成の一例を示す図である。
【図３】波長分割多重装置１３０の構成の一例を示す図である。
【図４】従来の波長分割多重装置１０の構成の一例を示すブロック図である。
【図５】従来の波長分割多重装置２０の構成の一例を示すブロック図である。
【発明を実施するための形態】
【００１８】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１９】
図１は、本発明の一実施形態に係る光通信システム１００の構成の一例を示す。光通信システム１００は、波長分割多重装置１１０、波長多重装置１４０、波長分割装置１５０、及びクライアント装置１６０、１７０、１８０を備える。クライアント装置１６０は、波長分割多重装置１１０のクライアント送信ポート及びクライアント受信ポートに光ファイバケーブル１９０ｃ、１９０ｄを介して直接接続される。また、クライアント装置１７０は、波長多重装置１４０のクライアント受信ポートに光ファイバケーブル１９０ｅ〜１９０ｇを介して直接接続される。また、クライアント装置１８０は、波長分割装置１５０のクライアント送信ポートに光ファイバケーブル１９０ｈ〜１９０ｊを介して直接接続される。
【００２０】
波長分割多重装置１１０と波長多重装置１４０とは、光ファイバケーブル１９０ａを介して、波長分割多重装置１１０が備える受信部１１１と波長多重装置１４０が備える送信部１４３との間で接続される。また、波長分割多重装置１１０と波長分割装置１５０とは、光ファイバケーブル１９０ｂを介して、波長分割多重装置１１０が備える送信部１１３と波長分割装置１５０が備える受信部１５１との間で接続される。波長分割多重装置１１０と波長多重装置１４０との間の距離、及び波長分割多重装置１１０と波長分割装置１５０との距離は、例えば数十ｋｍ程度の長距離である。
【００２１】
ここで、波長分割多重装置１１０が備える制御部１１２は、光信号分離部１１２ａ及び光信号多重部１１２ｂを有する。そして、波長分割多重装置１１０が備える制御部１１２は、光信号分離部１１２ａ及び光信号多重部１１２ｂの機能により、波長多重光信号の再生中継を制御するとともに、光ファイバケーブル１９０ｃ、１９０ｄを介してクライアント装置１６０との通信を制御する。
【００２２】
波長分割多重装置１１０は、クライアント装置１６０と光信号を送受信する。また、波長分割多重装置１１０は、波長多重装置１４０がクライアント装置１７０から受信した光信号が、波長多重装置１４０によって多重された光信号を、光ファイバケーブル１９０ａを介して波長多重装置１４０から受信する。そして、波長分割多重装置１１０は、波長多重装置１４０及びクライアント装置１６０のそれぞれから受信した光信号が波長分割多重された光信号を生成し、光ファイバケーブル１９０ｂを介して波長分離装置１５０に送信する。
【００２３】
なお、波長多重装置１４０及び波長分割装置１５０の構成及び機能は、波長多重装置１４０に波長分離機能が用意されていないこと、及び波長分割装置１５０に波長多重機能が用意されていないことを除き、従来の波長分割多重装置１０の構成及び機能と同一であるので説明を省略する。
【００２４】
図２は、本実施形態に係る波長分割多重装置１２０の構成の一例を示す。波長分割多重装置１２０は、受信部１２１、制御部１２２、及び送信部１２３を備える。また、受信部１２１は、光増幅部１２１ａ、及び光波長分離部１２１ｂを備える。また、制御部１２２は、光信号分離部１２２ａ、及び光信号多重部１２２ｂを備える。また、送信部１２３は、光波長多重部１２３ａ、及び光増幅部１２３ｂを備える。
【００２５】
受信部１２１は、光ファイバケーブルで上流の波長分割多重装置に接続された受信ポートを有し、受信ポートを介して、光ファイバケーブルで接続された上流の波長分割多重装置から波長多重光信号を受信する。また、光増幅部１２１ａは、受信ポートを介して受信した波長多重光信号を増幅して、光波長分離部１２１ｂに出力する。
【００２６】
そして、光波長分離部１２１ｂは、光増幅部１２１ａから出力された波長多重光信号を分波し、分波されたクライアント装置１６１宛の信号を含む波長の波長多重光信号を光信号分離部１２２ａに出力する。また、光波長分離部１２１ｂは、分波されたクライアント装置１６１宛の信号を含まない波長の波長多重光信号を光信号多重部１２２ｂに出力する。
【００２７】
そして、光信号分離部１２２ａは、受信したクライアント装置１６１宛の信号を含む波長の波長多重光信号を分波し、クライアント送信ポートを介して、分波されたクライアント装置１６１宛の信号を、クライアント装置１６１に送信する。また、光信号分離部１２２ａは、分派されたクライアント装置１６１宛の信号以外の波長多重光信号を、光波長多重部１２３ａに出力する。
【００２８】
また、光信号多重部１２２ｂは、クライアント受信ポートを介して、クライアント装置１６１から光信号を受信する。そして、光信号多重部１２２ｂは、光波長分離部１２１ｂから出力されたクライアント装置１６１宛の信号を含まない波長の波長多重光信号と、クライアント装置１６１から出力された光信号を多重し、多重した波長多重光信号を光波長多重部１２３ａに出力する。
【００２９】
送信部１２３は、光信号分離部１２２ａ及び光信号多重部１２２ｂがそれぞれ出力した波長多重光信号のそれぞれを、光波長多重部１２３ａによって入力する。そして、光波長多重部１２３ａは、入力した２つの波長多重光信号を多重して出力する。また、送信部１２３は、光波長多重部１２３ａが多重した波長多重光信号を、光増幅部１２３ｂで増幅する。そして、送信部１２３は、送信ポートを有し、増幅した波長多重光信号を、光ケーブルを介して下流の波長分割多重装置に送信する。
【００３０】
次に、本実施形態に係る波長分割多重装置の別の構成について説明する。図３は、本実施形態に係る波長分割多重装置１３０の構成の一例を示す。波長分割多重装置１３０は、受信部１３１、制御部１３２、及び送信部１３３を備える。また、受信部１３１は、光増幅部１３１ａ、及び光波長分離部１３１ｂを備える。また、制御部１３２は、光信号分離部１３２ａ、及び光信号多重部１３２ｂを備える。また、送信部１３３は、光波長多重部１３３ａ、及び光増幅部１３３ｂを備える。
【００３１】
なお、本実施形態においては、以下に示すように、光信号分離部１３２ａは、それぞれ２つのクライアント装置１６２への信号の送信ポートと、光波長多重部１３３ａへの波長多重光信号の出力ポートを有するが、本発明に係る波長分割多重装置の光信号分離部は、３つ又はそれ以上の数のポートをそれぞれ有する光信号分離部であってもよい。また、本実施形態においては、光信号多重部１３２ｂは、それぞれ２つのクライアント装置１６２からの信号の受信ポートと、光波長分離部１３１ｂからの波長多重光信号の入力ポートを有するが、本発明に係る波長分割多重装置の光信号多重部は、３つ又はそれ以上の数のポートをそれぞれ有する光信号多重部であってもよい。
【００３２】
受信部１３１は、光ファイバケーブルで上流の波長分割多重装置に接続された受信ポートを有し、受信ポートを介して、光ファイバケーブルで接続された上流の波長分割多重装置から波長多重光信号を受信する。また、光増幅部１３１ａは、受信ポートを介して受信した波長多重光信号を増幅して、光波長分離部１３１ｂに出力する。
【００３３】
そして、光波長分離部１３１ｂは、光増幅部１３１ａから出力された波長多重光信号を分波し、分波されたクライアント装置１６２宛の信号を含む波長の１つの波長多重光信号を光信号分離部１３２ａに出力する。また、光波長分離部１３１ｂは、分波されたクライアント装置１６２宛の信号を含まない波長の複数の波長多重光信号を、波長多重光信号の波長毎に異なるポートを介して光信号多重部１３２ｂに出力する。
【００３４】
そして、光信号分離部１３２ａは、受信したクライアント装置１６２宛の信号を含む波長の１つの波長多重光信号を分波し、複数のクライアント送信ポートを介して、分波されたクライアント装置１６２宛の信号を、クライアント装置１６２に送信する。また、光信号分離部１３２ａは、分派されたクライアント装置１６２宛の信号以外の複数の波長多重光信号を、波長多重信号の波長毎に異なるポートを介して光波長多重部１３３ａに出力する。
【００３５】
また、光信号多重部１３２ｂは、複数のクライアント受信ポートを介して、クライアント装置１６２から複数の光信号を受信する。そして、光信号多重部１３２ｂは、光波長分離部１３１ｂから出力されたクライアント装置１６２宛の信号を含まない波長の複数の波長多重光信号と、クライアント装置１６２から出力された複数の光信号を多重し、多重した１つの波長多重光信号を光波長多重部１３３ａに出力する。
【００３６】
送信部１３３は、光信号分離部１３２ａ及び光信号多重部１３２ｂがそれぞれ出力した波長多重光信号のそれぞれを、光波長多重部１３３ａによって入力する。そして、光波長多重部１３３ａは、入力した２つの波長多重光信号を多重して出力する。また、送信部１３３は、光波長多重部１３３ａが多重した波長多重光信号を、光増幅部１３３ｂで増幅する。そして、送信部１３３は、送信ポートを有し、増幅した波長多重光信号を、光ケーブルを介して下流の波長分割多重装置に送信する。
【００３７】
以上のように、本実施形態に係る波長分割多重装置によれば、光通信システムの大容量化が進み、波長多重光信号を再生中継する機能と、波長多重光信号からクライアント光信号を分離する機能と、クライアント光信号を多重する機能とを同時に実現する場合であっても、３つの機能を同時に実現するために各機能が別経路の構成をとる必要がなく、簡単に構成することができる。
【００３８】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【符号の説明】
【００３９】
１００  光通信システム
１１０、１２０、１３０  波長分割多重装置
１１１、１２１、１３１  受信部
１１１ａ、１２１ａ、１３１ａ  光増幅部
１１１ｂ、１２１ｂ、１３１ｂ  光波長分離部
１１２、１２２、１３２  制御部
１１２ａ、１２２ａ、１３２ａ  光信号分離部
１１２ｂ、１２２ｂ、１３２ｂ  光信号多重部
１１３、１２３、１３３  送信部
１１３ａ、１２３ａ、１３３ａ  光波長多重部
１１３ｂ、１２３ｂ、１３３ｂ  光増幅部
１４０  波長多重装置
１４２  制御部
１４２ａ  クライアント光信号多重部
１４２ｂ  クライアント光信号送信部
１４３  送信部
１４３ａ  光波長多重部
１４３ｂ  光増幅部
１５０  波長分割装置
１５１  受信部
１５１ａ  光増幅部
１５１ｂ  光波長分離部
１５２  制御部
１５２ａ  クライアント光信号受信部
１５２ｂ  クライアント光信号分離部
１６０〜１６２  クライアント装置
１７０  クライアント装置
１８０  クライアント装置
１９０ａ〜１９０ｊ  光ファイバケーブル
【図１】
2010232870.tif 000003
【図２】
2010232870.tif 000004
【図３】
2010232870.tif 000005
【図４】
2010232870.tif 000006
【図５】
2010232870.tif 000007